(57)【要約】本発明は、冷蔵庫用ドアハンドルに関する。本発明では、ハンドルバー３０に備えられる安着溝３６に装飾材４０を設置する。前記装飾材４０が設置された安着溝３６は、透明または半透明のハンドルカバー４２によって遮蔽される。前記ハンドルカバー４２の両端には、カバー端部締付片４５が備えられ、前記ハンドルバー３０を構成するハンドルバー胴体３１やカバーベース３４の締付リブに締め付けられる。前記カバー端部締付片４５は、前記ハンドルカバー４２の両端に他の部分に対して直交するように突出されて延長される。前記装飾材４０としては、発光体や宝石などを使用することができる。このような構成を有する本発明に係るドアハンドルによれば、ドアハンドルの審美感がよくなり、多様な消費者のデザイン欲求を満足させることができ、ハンドルバー３０が堅固になり、ドアハンドルの信頼性が高くなる利点がある。
2009507205.tif 000002
【特許請求の範囲】
【請求項１】
前面に長さ方向に安着溝が備えられ、半透明または透明なハンドルカバーが前記安着溝を遮蔽するハンドルバーと、
前記安着溝の内部に設置され、前記ハンドルカバーを通じて外部から見える装飾材と、
前記ハンドルバーの両端に備えられ、前記ハンドルバーをドアの一側に固定して支持するハンドルホルダーと
を備えることを特徴とする冷蔵庫のドアハンドル。
【請求項２】
前記ハンドルバーは、筒形状で構成され、内部に所定の空間が形成されることを特徴とする請求項１に記載の冷蔵庫のドアハンドル。
【請求項３】
前記ハンドルバーは、
横断面の両端に互いに並んで延設された係止リブを具備するハンドルバー胴体と、
前記ハンドルバー胴体の係止リブと結合され、ハンドルバー胴体に締め付けられるカバーベースとを備えて構成され、
前記カバーベースに前記安着溝が備えられ、前記装飾材とハンドルカバーが装着されることを特徴とする請求項２に記載の冷蔵庫のドアハンドル。
【請求項４】
前記ハンドルカバーの両端には、前記カバーベースの両端に締め付けられるカバー端部締付片が形成され、前記カバー端部締付片に形成された貫通孔と対応するように前記カバーベースには締付リブが形成され、ハンドルカバーとカバーベースが互いに締め付けられることを特徴とする請求項３に記載の冷蔵庫のドアハンドル。
【請求項５】
前記ハンドルカバーの長さ方向の両端には、カバー突起が形成され、前記安着溝の対応する位置には、前記カバー突起が安着される結合凹部が形成されることを特徴とする請求項４に記載の冷蔵庫のドアハンドル。
【請求項６】
前記装飾材は、宝石や発光体が使用されることを特徴とする請求項１に記載の冷蔵庫のドアハンドル。
【請求項７】
前記ハンドルホルダーは、
前記ハンドルバーの端部が安着されて締め付けられるバー安着溝が形成されたホルダー胴体と、
前記ホルダー胴体の端部に形成され、前記ハンドルバーの端部を遮蔽する端部遮蔽片とを備えることを特徴とする請求項１乃至６のいずれかに記載の冷蔵庫のドアハンドル。
【請求項８】
前記ハンドルホルダーの端部遮蔽片には、前記ハンドルカバーの両端に形成された端部締付片との締付のための締付通孔が形成され、前記締付通孔には、キャップが装着されることを特徴とする請求項７に記載の冷蔵庫のドアハンドル。
【請求項９】
前記ハンドルカバーは、合成樹脂を射出成形して形成され、前記ハンドルバーは、金属材質を押出成形して形成されることを特徴とする請求項１に記載の冷蔵庫のドアハンドル。
【請求項１０】
前面に長さ方向に安着溝が形成され、透明または半透明のハンドルカバーが前記安着溝を遮蔽するハンドルバーと、
前記安着溝の内部に設置され、前記ハンドルカバーを通じて外部から見える装飾材と、
前記ハンドルバーの両端に備えられ、前記ハンドルバーをドアの一側に固定して支持するハンドルホルダーとを備えて構成され、
前記ハンドルカバーの両端には、前記ハンドルバーに向かって延長されるようにカバー端部締付片が形成され、前記ハンドルバーの両端に各々締め付けられることを特徴とするドアハンドル。
【請求項１１】
前記ハンドルバーは、
横断面の両端に互いに並んで延設された係止リブを具備するハンドルバー胴体と、
前記ハンドルバー胴体の係止リブと結合され、ハンドルバー胴体に締め付けられるカバーベースとを備えて構成され、
前記カバーベースに前記安着溝が備えられ、前記装飾材とハンドルカバーが装着されることを特徴とする請求項１０に記載の冷蔵庫のドアハンドル。
【請求項１２】
前記ハンドルカバーのカバー端部締付片は、前記ハンドルバー胴体に形成された締付リブに締め付けられることを特徴とする請求項１１に記載の冷蔵庫のドアハンドル。
【請求項１３】
前記ハンドルカバーのカバー端部締付片は、前記カバーベースに形成された締付リブに締め付けられることを特徴とする請求項１１に記載の冷蔵庫のドアハンドル。
【請求項１４】
前記装飾材は、宝石や発光体が使用されることを特徴とする請求項１１乃至１３に記載の冷蔵庫のドアハンドル。
【請求項１５】
前記ハンドルホルダーは、
前記ハンドルバーの端部が安着されて締め付けられるバー安着溝が形成されたホルダー胴体と、
前記ホルダー胴体の端部に形成され、前記ハンドルバーの端部を遮蔽する端部遮蔽片とを備えることを特徴とする請求項１４に記載の冷蔵庫のドアハンドル。
【請求項１６】
前記ハンドルホルダーの端部遮蔽片には、前記ハンドルカバーの両端に形成された端部締付片との締付のための締付通孔が形成され、前記締付通孔にはキャップが装着されることを特徴とする請求項１５に記載の冷蔵庫のドアハンドル。
【請求項１７】
一方向に長く形成され、先端の全面が開口されるハンドルバー胴体と、前記ハンドルバー胴体の開口された先端の前面に装着されるハンドルカバーとを含むハンドルバーと、
前記ハンドルカバーが装着された位置を除いたハンドルバー胴体の先端の前面に設置される装飾体と、
前記ハンドルバーの両端に備えられ、前記ハンドルバーをドアの一側に固定して支持するハンドルホルダーと、
を備えることを特徴とする冷蔵庫用ドアハンドル。
【請求項１８】
前記装飾体の前面には、装飾材が収容されることができる装飾溝が形成され、前記装飾体の装飾溝には、前記装飾溝の内部を外部から見られる透明または半透明材質で形成された装飾カバーが装着されることを特徴とする請求項１７に記載の冷蔵庫用ドアハンドル。
【請求項１９】
前記装飾体の装飾溝の内部には、宝石や発光体のような装飾材が収容されることを特徴とする請求項１８に記載の冷蔵庫用ドアハンドル。
【請求項２０】
前記装飾体と装飾カバーは、合成樹脂を射出成形して形成され、前記装飾カバーには、発光物質や蓄光物質が備えられることができることを特徴とする請求項１７に記載の冷蔵庫用ドアハンドル。
【請求項２１】
前記ハンドルバー胴体の開口された先端内側には、前記ハンドルカバーの装着のための第１固定鍔が互いに対向するように形成され、前記第１固定鍔よりさらに内部には、前記装飾体の装着のための第２固定鍔が互いに対向するように形成され、
前記ハンドルカバーの背面両端には、前記第１固定鍔に係止される係止突起が前記ハンドルカバーの長さ方向に長く形成され、前記装飾体の背面両端に沿って前記第２固定鍔に係止される多数の係止フックが形成されることを特徴とする 請求項１７乃至２０のいずれかに記載の冷蔵庫用ドアハンドル。
【請求項２２】
前記ハンドルバー胴体とハンドルカバーは、金属材質を押出成形して形成されることを特徴とする請求項２１に記載の冷蔵庫用ドアハンドル。
【請求項２３】
ドアに締め付けられるハンドルホルダーと、
前記ハンドルホルダーに両端に装着されて支持されるハンドルバーとを備えて構成され、
前記ハンドルホルダーとハンドルバーの少なくとも一側に装飾体を設置することを特徴とする冷蔵庫用ドアハンドル。
【請求項２４】
前記装飾体は、光を提供するものであり、前記ハンドルホルダーまたはハンドルバーの内部に設置され、前記ハンドルホルダーとハンドルバーは、前記装飾体で提供された光を外部に透過するように少なくとも一部が透明または半透明であることを特徴とする請求項２３に記載の冷蔵庫用ドアハンドル。
【請求項２５】
前記装飾体は、前記ハンドルホルダーとハンドルバーとの間に介在され、内部に発光体を内蔵して光が外部に透過されることができるように透明または半透明であることを特徴とする請求項２３に記載の冷蔵庫用ドアハンドル。
【請求項２６】
前記装飾体は、リング形状で形成され、その内部に発光体が内蔵されることを特徴とする請求項２５に記載の冷蔵庫用ドアハンドル。
【請求項２７】
前記装飾体は、円筒状で形成され、前記ハンドルバーやハンドルホルダーが貫通し、前記装飾体の内部には発光体が設置されることを特徴とする請求項２５に記載の冷蔵庫用ドアハンドル。
【請求項２８】
前記装飾体に備えられる発光体は、ＬＥＤ、ランプ、発光物質、蛍光物質のうちいずれか１つであることを特徴とする請求項２３乃至２７に記載の冷蔵庫用ドアハンドル。
【発明の詳細な説明】
【技術分野】
【０００１】
本発明は、冷蔵庫に関し、より詳しくは、冷蔵庫の内部の貯蔵空間を開閉するドアを開閉するための冷蔵庫用ドアハンドルに関する。
【背景技術】
【０００２】
図１を参照して従来技術によるドアハンドルが装着された冷蔵庫の構成を説明する。冷蔵庫本体１の内部には、貯蔵空間３が形成される。前記貯蔵空間３は、本体１上部の冷蔵室と下部の冷凍室とに区画されることができる。前記本体１の上部前面の両端には、前記冷蔵室を選択的に開閉するための一対の冷蔵室ドア５が備えられ、本体１の下部前面には、冷凍室を選択的に開閉するための冷凍室ドア７が設置される。
【０００３】
前記冷蔵室ドア５と冷凍室ドア７には、各々ドアハンドル５’、７’が設置される。前記ドアハンドル５’、７’は、各々ハンドルバー６、８の両端を支持するハンドルホルダー６’、８’が前記ドア５、７に固定されるように構成される。前記ハンドルバー６、８の両端は、前記ハンドルホルダー６’、８’に挿入されて固定される。
【０００４】
前記ハンドルバー６、８は、ハンドルバー６、８の胴体を構成する本体部６ａ、８ａと、前面を装飾する装飾材６ｂ、８ｂとで構成されることができる。この場合、一般的に前記本体部６ａ、８ａは、アルミニウムのような金属材によって構成され、前記装飾材６ｂ、８ｂは、プラスチックのような部材で構成される。
【発明の開示】
【発明が解決しようとする課題】
【０００５】
しかし、上記したような従来技術によるドアハンドルでは、次のような問題点がある。
【０００６】
まず、従来技術によるドアハンドル５’、７’を構成するハンドルバー６は、長さが長い１つのバーである。したがって、ユーザがハンドルバー６を手で握って引っ張ると、前記ハンドルバー６は、弾性変形によって変形と回復を繰り返す。したがって、使用中にハンドルバー６とハンドルホルダー６’、８’の結合が緩くなり、前記ハンドルバー６が脱落したり、揺れが発生し、ユーザに不便さを与えるおそれがあるという問題点があった。
【０００７】
そして、ハンドルバー６の本体部６ａ、８ａと装飾材６ｂ、８ｂが互いに異なる材料、すなわち金属とプラスチックで構成されるので、熱膨脹係数が異なり、したがって室内温度変化によって本体部６ａ、８ａと装飾材６ｂ、８ｂの変化率が異なり、これら間の分離が発生しやすい。特にハンドルバー６が低い温度で組み立てられ、使用状態が高温の場合には、熱変化に敏感な金属材料からなる本体部６ａ、８ａがさらに長く伸びる。したがって、前記本体部６ａ、８ａがハンドルホルダー６’、８’を押し上げ、比較的熱変化に鈍感な装飾材６ｂ、８ｂは分離されたり、揺れるという問題点がある。
【０００８】
また、従来技術によるハンドルバー６、８は、本体部６ａ、８ａに単純な装飾材６ｂ、８ｂを装着することに過ぎないので、ユーザの多様なデザイン欲求を満たすことができないという問題点がある。
【０００９】
そして、従来技術によるハンドルバー６、８は、ただユーザがドア５、７を開閉するために手で握って力を加える部分としての機能のみを持っている。しかし、例えば、夜間に光がない状態でユーザが冷蔵庫を開閉するためには、前記ハンドルバー６、８が全然見えないから別途の照明をつけた後、ハンドルバー６、８を握ってドア５、７を開閉しなければならない。
【００１０】
したがって、本発明の目的は、上記したような従来技術の問題点を解決するためになされたものであり、相対的に強度が補強されたドアハンドルを提供することにある。
【００１１】
本発明の他の目的は、多様な装飾が可能なドアハンドルを提供することにある。
【００１２】
本発明のさらに他の目的は、ドアハンドルを構成する部品が互いに堅固に結合されたドアハンドルを提供することにある。
【００１３】
本発明のさらに他の目的は、ドアハンドルの前面見掛けを一層多様にすることにある。
本発明のさらに他の目的は、部品の設計変更を最小化しつつ、多様な種類のドアハンドルを製作することができるようにすることにある。
【００１４】
本発明のさらに他の目的は、発光体を内蔵し、暗闇の中でも容易に識別することができるドアハンドルを提供することにある。
【課題を解決するための手段】
【００１５】
上記目的を達成するために、本発明の一態様に係る冷蔵庫のドアハンドルは、前面に長さ方向に安着溝が備えられ、半透明または透明なハンドルカバーが前記安着溝を遮蔽するハンドルバーと、前記安着溝の内部に設置され、前記ハンドルカバーを通じて外部から見える装飾材と、前記ハンドルバーの両端に備えられ、前記ハンドルバーをドアの一側に固定して支持するハンドルホルダーとを備えて構成される。
【００１６】
前記ハンドルバーは、筒形状で構成され、内部に所定の空間が形成される。
【００１７】
前記ハンドルバーは、横断面の両端に互いに並んで延設された係止リブを具備するハンドルバー胴体と、前記ハンドルバー胴体の係止リブと結合され、ハンドルバー胴体に締め付けられるカバーベースとを備えて構成され、前記カバーベースに前記安着溝が備えられ、前記装飾材とハンドルカバーが装着される。
【００１８】
前記ハンドルカバーの両端には、前記カバーベースの両端に締め付けられるカバー端部締付片が形成され、前記カバー端部締付片に形成された貫通孔と対応するように前記カバーベースには締付リブが形成され、ハンドルカバーとカバーベースが互いに締め付けられる。
【００１９】
前記ハンドルカバーの長さ方向の両端には、カバー突起が形成され、前記安着溝の対応する位置には、前記カバー突起が安着される結合凹部が形成される。
【００２０】
前記装飾材は、宝石や発光体が使用される。
【００２１】
前記ハンドルホルダーは、前記ハンドルバーの端部が安着されて締め付けられるバー安着溝が形成されたホルダー胴体と、前記ホルダー胴体の端部に形成され、前記ハンドルバーの端部を遮蔽する端部遮蔽片とを備えて構成される。
【００２２】
前記ハンドルホルダーの端部遮蔽片には、前記ハンドルカバーの両端に形成された端部締付片との締付のための締付通孔が形成され、前記締付通孔には、キャップが装着される。
【００２３】
前記ハンドルカバーは、合成樹脂を射出成形して形成され、前記ハンドルバーは、金属材質を押出成形して形成される。
【００２４】
本発明の他の態様に係るドアハンドルは、前面に長さ方向に安着溝が形成され、透明または半透明のハンドルカバーが前記安着溝を遮蔽するハンドルバーと、前記安着溝の内部に設置され、前記ハンドルカバーを通じて外部から見える装飾材と、前記ハンドルバーの両端に備えられ、前記ハンドルバーをドアの一側に固定して支持するハンドルホルダーとを備えて構成され、前記ハンドルカバーの両端には、前記ハンドルバーに向かって延長されるようにカバー端部締付片が形成され、前記ハンドルバーの両端に各々締め付けられる。
【００２５】
前記ハンドルバーは、横断面の両端に互いに並んで延設された係止リブを具備するハンドルバー胴体と、前記ハンドルバー胴体の係止リブと結合され、ハンドルバー胴体に締め付けられるカバーベースとを備えて構成され、前記カバーベースに前記安着溝が備えられ、前記装飾材とハンドルカバーが装着される。
【００２６】
前記ハンドルカバーのカバー端部締付片は、前記ハンドルバー胴体に形成された締付リブに締め付けられる。
【００２７】
前記ハンドルカバーのカバー端部締付片は、前記カバーベースに形成された締付リブに締め付けられる。
【００２８】
前記装飾材は、宝石や発光体が使用される。
【００２９】
前記ハンドルホルダーは、前記ハンドルバーの端部が安着されて締め付けられるバー安着溝が形成されたホルダー胴体と、前記ホルダー胴体の端部に形成され、前記ハンドルバーの端部を遮蔽する端部遮蔽片とを備えて構成される。
【００３０】
前記ハンドルホルダーの端部遮蔽片には、前記ハンドルカバーの両端に形成された端部締付片との締付のための締付通孔が形成され、前記締付通孔にはキャップが装着される。
【００３１】
本発明のさらに他の態様に係る冷蔵庫用ドアハンドルは、一方向に長く形成され、先端の全面が開口されるハンドルバー胴体と、前記ハンドルバー胴体の開口された先端の前面に装着されるハンドルカバーとを含むハンドルバーと、前記ハンドルカバーが装着された位置を除いたハンドルバー胴体の先端の前面に設置される装飾体と、前記ハンドルバーの両端に備えられ、前記ハンドルバーをドアの一側に固定して支持するハンドルホルダーと、を備えて構成される。
【００３２】
前記装飾体の前面には、装飾材が収容されることができる装飾溝が形成され、前記装飾体の装飾溝には、前記装飾溝の内部を外部から見られる透明または半透明材質で形成された装飾カバーが装着される。
【００３３】
前記装飾体の装飾溝の内部には、宝石や発光体のような装飾材が収容される。
【００３４】
前記装飾体と装飾カバーは、合成樹脂を射出成形して形成され、前記装飾カバーには、発光物質や蓄光物質が備えられることができる。前記ハンドルバー胴体の開口された先端内側には、前記ハンドルカバーの装着のための第１固定鍔が互いに対向するように形成され、前記第１固定鍔よりさらに内部には、前記装飾体の装着のための第２固定鍔が互いに対向するように形成され、前記ハンドルカバーの背面両端には、前記第１固定鍔に係止される係止突起が前記ハンドルカバーの長さ方向に長く形成され、前記装飾体の背面両端に沿って前記第２固定鍔に係止される多数の係止フックが形成される。
【００３５】
前記ハンドルバー胴体とハンドルカバーは、金属材質を押出成形して形成される。
【００３６】
本発明のさらに他の態様に係る冷蔵庫用ドアハンドルは、ドアに締め付けられるハンドルホルダーと、前記ハンドルホルダーに両端に装着されて支持されるハンドルバーとを備えて構成され、前記ハンドルホルダーとハンドルバーの少なくとも一側に装飾体を設置する。
【００３７】
前記装飾体は、光を提供するものであって、前記ハンドルホルダーまたはハンドルバーの内部に設置され、前記ハンドルホルダーとハンドルバーは、前記装飾体で提供された光を外部に透過するように少なくとも一部が透明または半透明である。
【００３８】
前記装飾体は、前記ハンドルホルダーとハンドルバーとの間に介在され、内部に発光体を内蔵して光が外部に透過されることができるように透明または半透明である。
【００３９】
前記装飾体は、リング形状で形成され、その内部に発光体が内蔵される。
【００４０】
前記装飾体は、円筒状で形成され、前記ハンドルバーやハンドルホルダーが貫通し、前記装飾体の内部には発光体が設置される。
【００４１】
前記装飾体に備えられる発光体は、ＬＥＤ、ランプ、発光物質、蛍光物質のうちいずれか１つである。
【発明の効果】
【００４２】
このような構成を有する本発明に係る冷蔵庫用ドアハンドルによれば、ドアハンドルの強度が相対的に補強され、操作時に変形が発生せず、耐久性がよくなり、多様な装飾が可能になる効果がある。
【００４３】
そして、本発明の一実施例によれば、ドアハンドルを構成する部品が互いに堅固に結合されてドアハンドル全体の強度が相対的に大きくなり、物性値が異なる部品間の相対変形発生を最小化することができる効果がある。
【００４４】
また、本発明の他の実施例によれば、ドアハンドルを構成する部品の設計変更を最小化しつつ、多様な種類のドアハンドルを製作することができるようになる効果がある。
【００４５】
そして、本発明によれば、ドアハンドルの内部に発光体を内蔵して発光するのでユーザが暗闇の中でも容易に識別することができ、ドアハンドル自体が一つの照明燈の役目をすることができるので、ユーザの便宜性がよくなる効果もある。
【発明を実施するための最良の形態】
【００４６】
以下、本発明に係る冷蔵庫用ドアハンドルの好ましい実施例の構成を添付の図面を参照して詳細に説明する。
【００４７】
図２乃至図４に示されたように、冷蔵庫の貯蔵空間を開閉するドア１０は、その前面に前面パネル１２が形成される。もちろん前記前面パネル１２の内部にアウトドアが備えられ、断熱層を遮蔽することもできる。前記ドア１０の背面には、ドアライナー（図示せず）が形成される。
【００４８】
そして、ドア１０の側面と上下面には、装飾バー（図示せず）が形成される。装飾バーのうち一側面を形成する側面装飾バー１４は、前記前面パネル１２の端部の一部を遮蔽するように構成される。前記側面装飾バー１４のうち前面パネル１２の端部を遮蔽する部分には、後述するハンドルホルダー２０の装着のために貫通孔１５が穿孔される。前記側面装飾バー１４の内面には、前記貫通孔１５に該当する位置に貫通孔１６’が穿孔された装着ブラケット１６が位置する。前記装着ブラケット１６は、ねじ（図示せず）によってハンドルホルダー２０とともに側面装飾バー１４に締め付けられる。
【００４９】
ハンドルホルダー２０は、前記側面装飾バー１４のうちドア１０の正面、すなわち前面パネル１２の端部に該当する部分に装着される。前記ハンドルホルダー２０には、ホルダー胴体２２が備えられる。前記ホルダー胴体２２は、略長い六面体形状である。前記ホルダー胴体２２には、その長さ方向に長くバー安着溝２４が形成される。前記バー安着溝２４は、前記ホルダー胴体２２が側面装飾バー１４と結合される反対側の面に形成される。前記ホルダー胴体２２のバー安着溝２４には、締付孔２４’が穿孔されている。前記締付孔２４’は、後述するハンドルバー３０との締付のためのねじが貫通する部分である。
【００５０】
前記ホルダー胴体２２の一端部には、端部遮蔽片２６が突設される。前記端部遮蔽片２６は、前記ホルダー胴体２２の一端部に前記側面装飾バー１４の反対側に長く突出される。前記端部遮蔽片２６には、締付通孔２７が穿孔されている。前記締付通孔２７は、後述するカバーベース３４とハンドルカバー４２を結合するためのものである。前記締付通孔２７は、キャップ２８によって遮蔽される。すなわち、前記キャップ２８が締付通孔２７を遮蔽して、前記カバーベース３４とハンドルカバー４２の結合部が外部から見えないようにする。前記キャップ２８は、円板状であり、その両端に弾性レッグ２８’が備えられ、前記端部遮蔽片２６の締付通孔２７内に結合される。
【００５１】
ハンドルバー３０は、ハンドルバー胴体３１とカバーベース３４とを備えて構成される。もちろん設計条件によっては、前記ハンドルバー胴体３１とカバーベース３４とが一体になることもできる。ここで、前記ハンドルバー３０は、内部に所定の空間が形成されている。このような空間は、ハンドルバー３０が容易に弾性変形されないように強度を補強する役目をする。すなわち、前記空間が形成されることによって、ハンドルバー胴体３１が特定の形状を有するようになり、強度が補強され、特に、前記ハンドルバー胴体３１の内部に形成される空間の入口に前記カバーベース３４などが装着されることによって強度が補強されることができる。前記ハンドルバー３０は、ハンドルホルダー２０に両端部が結合されて支持されるものである。
【００５２】
前記ハンドルバー胴体３１は、前記ドア１０の上下または左右方向に長く延長されるものであり、その両端が前記ハンドルホルダー２０に結合されてドア１０に支持される。前記ハンドルバー胴体３１は、金属材質を押出して製作することができる。したがって、前記ハンドルバー胴体３１は、その横断面の構成が長さ方向に一定に形成される。本実施例で、前記ハンドルバー胴体３１は、その断面形状が半円筒形状から両端部が並んで直線に一定の長さだけ延長されて形成される。すなわち、前記ハンドルバー胴体３１の横断面の両端には、係止リブ３２が前方に延長されて形成される。前記係止リブ３２の先端には、係止突起３３が形成される。前記係止リブ３２と係止突起３３は、ハンドルバー胴体３１の長さ方向に長く連続的に形成される。
【００５３】
前記ハンドルバー胴体３１の係止リブ３２には、カバーベース３４が結合される。前記カバーベース３４は、前記ハンドルバー胴体３１と同じ長さを有するものであり、前記ハンドルバー３０と結合して、ハンドルバー３０を補強する役目をする。前記カバーベース３４には、その後面の両端に長さ方向に沿って前記係止突起３３に係止される係止鍔３５が形成されている。また、前記カバーベース３４には、締付リブ３５’が形成されている。前記締付リブ３５’は、後述するハンドルカバー４２のカバー端部締付片４５との締付のための部分である。
【００５４】
前記カバーベース３４の前面には、長さ方向に長く安着溝３６が形成される。前記安着溝３６には、別途の装飾材４０が付加される。前記装飾材４０としては、多様なものが使用されることができる。例えば、前記ハンドルバー胴体３１やカバーベース３４とは色相が異なるもの、又は材質が異なるもの、そして発光体を使用してドアハンドルの美感を異にすることができる。
【００５５】
そして、前記装飾材４０として、水晶のような宝石を使用してドアハンドルが一層高級に見えるようにすることもできる。前記装飾材４０の例として、スワロフスキー石（Swarovski Stone）が挙げられる。
【００５６】
前記カバーベース３４の安着溝３６のうち前記装飾材４０の前面から外れた位置には、結合凹部３８が形成される。前記結合凹部３８は、前記カバーベース３４の長さ方向に長く延長されて形成される。前記結合凹部３８は、前記安着溝３６の互いに対向する位置に各々形成される。
【００５７】
前記装飾材４０が安着された安着溝３６には、ハンドルカバー４２が設置される。前記ハンドルカバー４２は、透明な材質で形成される。前記ハンドルカバー４２は例えば透明なＰＣ材質を射出して形成する。前記ハンドルカバー４２には、前記結合凹部３８に安着されるカバー突起４３が形成される。前記カバー突起４３は、前記結合凹部３８に安着され、前記ハンドルカバー４２が前記カバーベース３４に結合されるようにする。前記カバー突起４３は、前記ハンドルカバー４２の両端に沿って長さ方向に長く形成される。
【００５８】
前記ハンドルカバー４２の両端には、各々カバー端部締付片４５が形成される。前記カバー端部締付片４５は、前記ハンドルカバー４２の他の部分に対して直交するように形成される。前記カバー端部締付片４５には、貫通孔４７が穿孔される。前記カバー端部締付片４５は、前記カバーベース３４とカバー端部締付片４５との間の締付のためのものである。
【００５９】
以下、上記したような構成を有する本発明に係る冷蔵庫のドアハンドルの好ましい実施例の作用を詳細に説明する。
【００６０】
まず、本発明のドアハンドルを組立てることを説明する。前記カバーベース３４の安着溝３６に装飾材４０を安着する。この時、前記装飾材４０が安着溝４０から容易に分離しないように両面テープや接着剤を使用することが好ましい。
【００６１】
前記装飾材４０を前記カバーベース３４に装着した後には、前記ハンドルカバー４２を前記カバーベース３４に装着する。このために、前記安着溝３６の結合凹部３８に前記ハンドルカバー４２のカバー突起４３が安着されるようにする。前記カバーベース３４の長さ全体にわたって前記ハンドルカバー４２が装着されれば、前記カバー端部締付片４５の貫通孔４７が前記カバーベース３４の締付リブ３５’に対応する位置にあるようになる。
【００６２】
このような状態で前記カバーベース３４を前記ハンドルバー胴体３１に組立てる。勿論、前記ハンドルバー胴体３１に前記カバーベース３４を組立てた状態で前記装飾材４０やハンドルカバー４２の装着作業をすることができる。前記カバーベース３４は、その後段両側の係止鍔３５が前記ハンドルバー胴体３１の係止リブ３２に形成された係止突起３３に係止されることによって、前記ハンドルバー胴体３１に結合される。前記係止リブ３２は、前記カバーベース３４が前記ハンドルバー３０に組み立てられる時、若干弾性変形されてから元の状態に復元され、前記カバーベース３４を固定する。
【００６３】
次に、前記ハンドルバー胴体３１に前記ハンドルホルダー２０を結合する。このためには、前記ハンドルホルダー２０のバー安着溝２４に開口された締付孔２４’を貫通したねじが前記ハンドルバー胴体３１に締め付けられるようにする。かくして、前記ハンドルバー胴体３１とハンドルホルダー２０とが互いに締め付けられる。
【００６４】
前記ハンドルホルダー２０は、前記側面装飾バー１４に締め付けられる。すなわち、前記側面装飾バー１４の外面には、前記ハンドルホルダー２０のホルダー胴体２２が位置し、内面には、装着ブラケット１６が位置した状態で、前記装着ブラケット１６の貫通孔１６’と側面装飾バー１４の貫通孔１５を貫通したねじが前記ホルダー胴体２２に締め付けられる。かくして、前記ハンドルホルダー２０が前記側面装飾バー１４に締め付けられる。
【００６５】
一方、前記ハンドルホルダー２０の端部遮蔽片２６の締付通孔２７を貫通して前記カバー端部締付片４５とカバーベース３４の締付リブ３５’にねじが締め付けられる。かくして、前記ハンドルホルダー２０、ハンドルバー胴体３１及びハンドルカバー４２が互いに締め付けられる。次に、前記ハンドルホルダー２０の端部遮蔽片２６の締付通孔２７にキャップ２８を装着し、カバー端部締付片４５などが外部から見えないようにする。
【００６６】
勿論、設計条件によっては、前記ハンドルホルダー２０とハンドルカバー４２側が直接締め付けられるようにすることもできる。これは、前記ハンドルバー胴体３１がねじによって前記ハンドルホルダー２０のホルダー胴体２２に締め付けられるからである。このような場合には、前記端部遮蔽片２６に締付通孔２７を形成せず、キャップ２８をも使用する必要がなくなる。
【００６７】
上記のような方式で前記ハンドルバー３０の両端に備えられるハンドルホルダー２０を側面装飾バー１４に締付すれば、ドアハンドルがドア１０に装着される。
【００６８】
本実施例では、前記ハンドルバー３０のハンドルバー胴体３１及びカバーベース３４は、金属材を押出して形成され、前記ハンドルカバー４２は、合成樹脂材を射出して形成する。したがって、これら間の熱膨脹率に差異があり得るが、前記ハンドルカバー４２がその両端のカバー端部締付片４５によって前記カバーベース３４側と締め付けられるので、これら間の結合状態が環境の変化によって変わらなくなる。
【００６９】
参照として、本実施例で、ハンドルバー３０がハンドルバー胴体３１とハンドルカバー４２とに分離せず、一体に形成されることができるが、この場合、前記ハンドルカバー４２に該当するハンドルバー３０の前面に前記安着溝３６が形成され、これに装飾材４０が安着され、透明なハンドルカバー４２によって前記安着溝３６が遮蔽されるようにすることができる。
【００７０】
そして、前記ハンドルカバー４２は、必ず完全に透明すべきものではなく、少なくとも半透明または透明してもよい。
【００７１】
一方、図５には、本発明の他の実施例が示されている。本実施例の構成を説明するために、上記で説明された実施例と対応する構成には、対応する１００単位の図面符号を付与し、差別化される構成のみを説明する。
本実施例では、ハンドルバー１３０を構成するハンドルバー胴体１３１の内部には、ハンドルバー胴体１３１の長さ方向に締付リブ１３１’が長く形成される。前記締付リブ１３１’は、カバー端部締付片１４５との締付のためのものである。前記締付リブ１３１’は、前記ハンドルバー胴体１３１の長さ全体にわたって形成されるが、これは、前記ハンドルバー胴体１３１が金属材質を押出して形成されるからである。
【００７２】
前記ハンドルバー胴体１３１の開口された長さ方向の両端には、係止リブ１３２が並んで形成される。前記係止リブ１３２の先端には、係止突起１３３が係止リブ１３２の全体長さにわたって形成される。前記係止突起１３３の両端に形成された係止リブ１３２は、互いに対向するように形成される。
【００７３】
前記ハンドルバー胴体１３１の開口された部分には、前記係止リブ１３２に締付され、カバーベース１３４が設置される。前記カバーベース１３４は、その後段に前記係止リブ１３２の係止突起１３３に係止される係止鍔１３５が前記係止突起１３３と対応する位置に並んで形成される。
【００７４】
前記カバーベース１３４の前面には、安着溝（図示せず）が形成される。前記安着溝には、例えば、装飾材（図示せず）が装着される。前記カバーベース１３４の安着溝の入口には、結合凹部１３８が形成される。前記結合凹部１３８は、前記カバーベース１３４の長さ方向に長く形成される。
【００７５】
ハンドルカバー１４２は、前記カバーベース１３４に装着されるものであり、その両端には、ハンドルカバー１４２の長さ方向に長くカバー突起１４３が形成される。前記カバー突起１４３は、前記結合凹部１３８に安着され、ハンドルカバー１４２をカバーベース１３４に結合されるようにするものである。
【００７６】
前記ハンドルカバー１４２の両端には、ハンドルカバー１４２の他の部分に対して直交するように形成されるカバー端部締付片１４５が形成される。前記カバー端部締付片１４５には、貫通孔１４７が形成されるが、前記貫通孔１４７は、図５に示されたように、前記締付リブ１３１’と対応する位置に穿孔される。したがって、前記カバー端部締付片１４５は、前記ハンドルバー胴体１３１に締め付けられる。このようにハンドルカバー１４２が前記ハンドルバー胴体１３１に直接締め付けられることによって、前記カバーベース１３４は、前記ハンドルカバー１４２を前記ハンドルバー胴体１３１から分離することによって、ハンドルバー胴体１３１から分離が可能である。
【００７７】
このような本実施例の冷蔵庫用ハンドルドアでは、その組み立て手順などは上記で説明された実施例とほぼ同一である。しかし、前記ハンドルカバー１４２が前記ハンドルバー胴体１３１の締付リブ１３１’に締め付けられるので、ハンドルバー１３０全体が１つに結合され、上記で説明された実施例と比較する時、ハンドルカバー１４２、カバーベース１３４及びハンドルバー胴体１３１の結合状態が一層堅固になる。
【００７８】
次に、図６乃至図１０を参照して本発明の他の実施例を説明する。
【００７９】
本実施例では、サイドバイサイドタイプの冷蔵庫を参照して説明する。冷蔵庫本体２３０の前面には、ドア２３２、２３２’が設置される。前記ドア２３２、２３２’は、前記冷蔵庫本体２３０の内部に形成される貯蔵空間を選択的に開閉するものである。前記ドア２３２、２３２’の前面先端には、各々ドアハンドル２３４が設置される。
【００８０】
前記ドアハンドル２３４は、前記ドア２３２、２３２’の前面の上下端の各々に設置されるハンドルホルダー２３６と、前記ハンドルホルダー２３６によって両端が支持されるハンドルバー２３８とで構成される。前記ハンドルホルダー２３６は、前記ハンドルバー２３８を前記ドア２３２、２３２’の前面に所定の間隔だけ離隔された状態で支持されるようにする。参照として、本実施例では、前記ドアハンドル２３４が垂直方向にドアに設置されるが、ドアの種類によっては水平方向に設置されることもできる。
【００８１】
前記ハンドルバー２３８は、横断面の形状が略「Ｕ」字状になるハンドルバー胴体２４０を具備する。前記ハンドルバー胴体２４０は、ドア２３２、２３２’の前方に向かう先端部分が長さ方向に開口されて長く形成される。すなわち、前記ハンドルバー胴体２４０は、全体長さに対して同一の断面を有するように合成樹脂や金属材質で押出されて形成される。前記ハンドルバー胴体２４０は、金属材質で形成されることが好ましいが、その材質の例として、アルミニウムが挙げられる。
【００８２】
前記ハンドルバー胴体２４０の開口された先端部分の両側に沿って第１固定鍔２４２が形成される。前記第１固定鍔２４２は、前記ハンドルバー胴体２４０の長さ方向全体にわたって長く形成される。前記第１固定鍔２４２は、その両端が互いに対向するように形成される。前記ハンドルバー胴体２４０の第１固定鍔２４２が形成された部分からさらに内側には、互いに対向するように第２固定鍔２４４が形成される。前記第２固定鍔２４４も、前記ハンドルバー胴体２４０の長さ方向に長く形成される。
【００８３】
前記ハンドルバー胴体２４０の内部には、前記ハンドルホルダー２３６との締付のための締付リブ２４６が形成される。前記締付リブ２４６は、前記ハンドルバー胴体２４０の内面中央に該当する部分にハンドルバー胴体２４０の長さ方向に長く形成される。
【００８４】
前記ハンドルバー胴体２４０の開口された先端には、ハンドルカバー２５０が装着される。本発明では、前記ハンドルカバー２５０が少なくとも２個以上使用される。前記ハンドルカバー２５０は、図示の実施例でドア２３２、２３２’の前方に向かう面が凸状の曲面で形成されているが、必ずそうする必要はない。また、前記ハンドルカバー２５０も押出して形成されるものであり、好ましくは、金属材質で形成される。前記ハンドルカバー２５０の材質の例として、アルミニウムを挙げることができる。
【００８５】
前記ハンドルカバー２５０の背面の両端には、前記第１固定鍔２４２に係止される係止突起２５２が形成される。前記係止突起２５２は、前記ハンドルカバー２５０の背面の両端に後方に突出した部分の先端に、互いに反対される方向に向かうように形成される。前記係止突起２５２も前記ハンドルカバー２５０の長さ方向に長く延長されて形成される。前記ハンドルカバー２５０の背面中央に沿って前記ハンドルホルダー２３６との締付のための締付リブ２５４が形成される。
【００８６】
一方、前記ハンドルカバー２５０と一緒に装飾体２６０が前記ハンドルバー胴体２４０に締付されて設置される。前記装飾体２６０は、前記バーケース２４０のうち前記ハンドルカバー２５０が装着されない部分に装着される。本実施例では、図６から分かるように、ハンドルバー２３８の中間部分からさらに上側に前記装飾体２６０が位置する。しかし、前記装飾体２６０の位置は、図示のものに限定されるものではない。そして、前記ハンドルカバー２５０の数が変わることによって、前記装飾体２６０の数も異にすることができる。
【００８７】
前記装飾体２６０は、合成樹脂材質を射出して形成する。したがって、前記装飾体２６０は、前記ハンドルバー胴体２４０とハンドルカバー２５０に比べて相対的に多様な形状で具現されることができる。例えば、多様な色相の合成樹脂を使用することができ、その断面形状が全体的に同一でなくてもよいので、多様な形状を有するようにすることができる。
【００８８】
本実施例で、前記装飾体２６０は、図７及び図１０に示されたように、略一方向に長く形成されるが、前記ハンドルカバー２５０とは異なって、各々の部分の断面形状が異なる。前記装飾体２６０の構成を詳しく記述すれば、その後面に後方に延長されるように多数個の係止フック２６２が形成される。前記係止フック２６２は、前記装飾体２６０の背面両端に沿って多数個が所定の間隔で形成される。前記係止フック２６２の先端には、フック鍔２６３が形成され、前記ハンドルバー胴体２４０の第２固定鍔２４４に係止される。前記係止フック２６２は、その材質と形状の特性上、相対的に多い弾性変形が可能である。
【００８９】
前記装飾体２６０の前面に開口されるように装飾溝２６４が形成される。前記装飾溝２６４は、前記装飾体２６０の前面に凹設されるように形成される。前記装飾溝２６４の端を取り囲むように多数個の締付溝２６６が形成される。
【００９０】
前記装飾体２６０の装飾溝２６４には、装飾カバー２７０が装着される。前記装飾カバー２７０も射出成形が可能なものであり、合成樹脂材質で形成される。特に、前記装飾カバー２７０は、透明な材質で構成されることが好ましい。これは、前記装飾溝２６４に設置された別途の装飾材が外部から見えるようにするためである。勿論、前記装飾カバー２７０自体が特定の色相と紋様などを有するようにして、１つの装飾物としての役目をすることもできる。
【００９１】
前記装飾カバー２７０には、前記装飾溝２６４の締付溝２６６と対応する位置に締付突起２７２が形成される。前記締付突起２７２が前記締付溝２６６に安着されることによって、前記装飾カバー２７０が前記装飾溝２６４に安着された状態で装飾体２６０に固定される。このような状態で、前記装飾カバー２７０をユーザが任意に装飾体２６０から分離することができない。
【００９２】
以下、上記したような構成を有する本実施例の冷蔵庫用ドアハンドルの作用を詳細に説明する。
【００９３】
まず、前記ハンドルバー２３８を製作する過程を説明する。前記ハンドルバー胴体２４０とハンドルカバー２５０は、押出工程を通じて形成される。勿論、前記ハンドルバー胴体２４０とハンドルカバー２５０の外面には、別途の加工を行い、その見掛けが所望の色相や紋様を有するようにすることができる。
【００９４】
そして、前記装飾体２６０と装飾カバー２７０は、射出成形されて形成される。前記装飾体２６０は、射出成形時にその材料を適切に選択し、射出成形のための金型の形状を所望の形状で設計することによって、色相と形状などを異にすることができる。実際に、押出成形で形成される製品よりも射出成形で形成される製品が多様な色相と形状を有することができるので、前記装飾体２６０と装飾カバー２７０は、多様な色相と形状を有することができる。
【００９５】
次に、前記ハンドルバー胴体２４０にハンドルカバー２５０を装着する。すなわち、前記ハンドルカバー２５０の係止突起２５２が前記ハンドルバー胴体２４０の第１固定鍔２４２に係止されるように、ハンドルカバー２５０をハンドルバー胴体２４０に装着する。ここで、前記ハンドルカバー２５０を前記ハンドルバー胴体２４０に装着する作業は、前記ハンドルバー胴体２４０の開口された先端部分と前記ハンドルカバー２５０の後方に突き出された部分の弾性変形を利用する。
【００９６】
前記ハンドルカバー２５０は、本実施例で２個が使用されたが、前記装飾体２６０が設置される位置によって、各々の長さが変わる。すなわち、本実施例で、図６を見れば、相対的にハンドルバー胴体２４０の上端に備えられるハンドルカバー２５０の長さが下端に備えられることに比べて短く形成される。
【００９７】
一方、各々のハンドルカバー２５０をハンドルバー胴体２４０の所望の位置に装着した状態で、前記装飾体２６０を残りの位置に装着する。この時、前記装飾体２６０の係止フック２６２のフック鍔２６３が前記ハンドルバー胴体２４０の第２固定鍔２４４に係止される。このような前記装飾体２６０の装着は、前記係止フック２６２の弾性変形を利用する。
【００９８】
一方、前記装飾体２６０の装飾溝２６４には、装飾カバー２７０が装着されている。前記装飾カバー２７０は、透明な材質で形成された場合、装飾溝２６４の内部をユーザが見ることができる。すなわち、前記装飾溝２６４の内部に付加されている装飾材を外部から見ることができるので、ハンドルバー２３８の見掛けを一層美麗にするものである。
【００９９】
参照として、前記装飾溝２６４の内部には、さまざまな装飾材が付加されることができるが、例えば、宝石、発光体、特定の色相を有する物体などが挙げられる。
【０１００】
このように構成された本実施例のハンドルバー２３８は、ドア２３２、２３２’に装着されたハンドルホルダー２３６に前記締付リブ２４６、２５４を利用して締め付けることによって、ドア２３２、２３２’に装着される。このようにハンドルバー２３８がハンドルホルダー２３６によってドア２３２、２３２’に装着されれば、ユーザは、前記ハンドルバー２３８を手で握ってドア２３２、２３２’の開閉を行うことができる。
【０１０１】
次に、図１１を参照して本発明のさらに他の実施例を説明する。図面によれば、冷蔵庫本体に装着されるドア３３２、３３２’には、ドアハンドル３３４、３３４’が設置される。前記ドアハンドル３３４、３３４’は、ドア３３２、３３２’の開閉操作のためにユーザが力を加える部分である。
【０１０２】
前記ドアハンドル３３４、３３４’は、前記ドア３３２、３３２’に締め付けられるハンドルホルダー２３６と、前記ハンドルホルダー３３６に両端部分が締め付けられるハンドルバー３３８とで構成される。前記ハンドルホルダー３３６とハンドルバー３３８の構成は、上記で説明された実施例と類似することができる。
【０１０３】
本発明の実施例は、ドアハンドル３３４、３３４’のいずれか一側に装飾のための装飾体３４０を内蔵するものであり、前記装飾体３４０の例としては発光体が挙げられる。すなわち、ＬＥＤ、またはランプなどのような電源の供給によって光を出すものや夜光物質や蛍光物質のような発光体をドアハンドル３３４、３３４’の一側に設置する。
【０１０４】
前記本発明に係る装飾体３４０としての発光体は、ハンドルホルダー３３６の内部一側に設置されることもできる。前記ハンドルホルダー３３６の内部に発光体を設置する場合には、前記ハンドルホルダー３３６の少なくとも一部を透光性素材で形成すれば、内部の発光体から発生する光が外部に出ることができる。例えば、前述したようなＬＥＤなどを前記ハンドルホルダー３３６の内部に設置し、前記ハンドルホルダー３３６の端部（ハンドルバー３３８と隣接する端部）を一部透光性材質で形成すれば、内部のＬＥＤから発生する光が前記ハンドルホルダー３３６の一部を通過して外部に発散されることができる。
【０１０５】
または、本発明に係る発光体は、前記ハンドルバー３３８の内部に設置されることができる。前記ハンドルバー３３８の内部にＬＥＤなどのような発光体を設置する場合にも、前記ハンドルバー３３８の少なくとも一部分は、透光性材質で形成されなければならない。または、前記ハンドルバー３３８全体を透光性材質で形成することも可能であることは当然である。
【０１０６】
さらに他の例として、前記ハンドルバー３３８とハンドルホルダー３３６を連結する部分にＬＥＤのような発光体を設置することも可能である。すなわち、図１１に示されたように、前記ハンドルホルダー３３６とハンドルバー３３８との間には、装飾体３４０が介在されている。前記装飾体３４０は、前記ハンドルバー３３８（←３３８２）と同一の断面形状、例えば、円形断面を有するように形成され、その内部には、ＬＥＤまたはランプなどのような発光体を有する。または、前記装飾体３４０自体を夜光物質が添加されたもので形成するか、夜光物質を塗布して暗闇の中でも輝くように構成することも可能である。または、前記装飾体３４０は、蓄光材質を利用して、光がある場合にはこのような光を吸収し、暗闇の中では光を発散することができるもので形成することもできる。
【０１０７】
前記装飾体３４０は、前記ハンドルバー３３８とハンドルホルダー３３６との間に介在されるように設置される。例えば、前記装飾体３４０をリング形状で形成し、その内部にＬＥＤまたはランプなどのような発光体を内蔵することができる。または、前記装飾体３４０を円筒状で形成し、前記ハンドルバー３３８とハンドルホルダー３３６との間に介在されるように構成することも可能である。このような円筒状で前記装飾体３４０を形成する場合、前記ハンドルバー３３８とハンドルホルダー３３６は、前記装飾体３４０の内部を貫通する状態で連結されて支持され、ＬＥＤまたはランプなどのような発光体は、前記ハンドルバー３３８及びハンドルホルダー３３６と干渉が起きないように設置されなければならないことは当然である。
【０１０８】
本実施例で、前記装飾体３４０として発光が可能なものを使用すれば、暗い夜にもユーザは容易に冷蔵庫のドア３３２、３３２’を開閉することができるようになる。そして、このような装飾体３４０は、実質的にキッチンで照明としての機能をも有することができる。すなわち、暗い夜にキッチンに出る場合、前記発光体の光によって非常に便利に行動することができるようになる。そして、発光体としてＬＥＤまたはランプなどを使用する場合には、別途のスイチング装置を通じてオンオフを制御するように構成することが好ましい。
一方、本実施例で説明したような装飾体３４０は、上記で説明された実施例のカバーベース３４、１３４及び装飾体２６０として見なすことができる。したがって、前記カバーベース３４、１３４及び装飾体２６０（または装飾カバー２７０）を前記装飾体３４０のようにその自体を発光や蓄光性物質で製作するなど多様な応用が可能である。
【０１０９】
以上において説明した本発明は、本発明が属する技術の分野における通常の知識を有する者であれば、本発明の技術的思想を逸脱しない範囲内で、様々な置換、変形及び変更が可能であるので、上述した実施例及び添付された図面に限定されるものではない。
【産業上の利用可能性】
【０１１０】
上記で詳しく説明したような本発明に係る冷蔵庫用ドアハンドルは、上部に冷蔵室が備えられ、下部に冷凍室が備えられるタイプや、冷蔵室と冷凍室が並立して備えられるタイプなどの冷蔵庫において冷蔵室や冷凍室を開閉するためのドアに多様に適用されて使用されることができる。
【図面の簡単な説明】
【０１１１】
【図１】従来技術によるドアハンドルを具備した冷蔵庫の前面構成を示す斜視図である。
【図２】本発明に係る冷蔵庫用ドアハンドルの好ましい実施例がドアに装着された状態を示す要部斜視図である。
【図３】図２に示された実施例の構成を示す分解斜視図である。
【図４】図２に示された実施例の要部構成を示す横断面図である。
【図５】本発明の他の実施例の要部構成を示す横断面図である。
【図６】本発明のさらに他の実施例が具備された冷蔵庫の前面構成を示す正面図である。
【図７】図６に示された実施例の構成を示す分解斜視図である。
【図８】図６に示された実施例の構成を示す斜視図である。
【図９】図６に示された実施例の要部構成を示す横断面図である。
【図１０】図６に示された実施例を構成する装飾体と装飾カバーの構成を示す分解斜視図である。
【図１１】本発明のさらに他の実施例が冷蔵庫ドアに設置されたことを示す部分正面図である。
【図１】
2009507205.tif 000003
【図２】
2009507205.tif 000004
【図３】
2009507205.tif 000005
【図４】
2009507205.tif 000006
【図５】
2009507205.tif 000007
【図６】
2009507205.tif 000008
【図７】
2009507205.tif 000009
【図８】
2009507205.tif 000010
【図９】
2009507205.tif 000011
【図１０】
2009507205.tif 000012
【図１１】
2009507205.tif 000013
【国際調査報告】
2009507205.tif 000014
2009507205.tif 000015